【手続補正書】
【提出日】平成17年8月15日(2005.8.15)
【手続補正１】
【補正対象書類名】明細書
【補正対象項目名】発明の名称
【補正方法】変更
【補正の内容】
【発明の名称】ＣＤＭＡ通信システムにおいて複数の基地局からの伝送を時間整列する方法及び装置
【手続補正２】
【補正対象書類名】特許請求の範囲
【補正対象項目名】全文
【補正方法】変更
【補正の内容】
【特許請求の範囲】
【請求項１】
無線通信システムにおいて、複数の基地局間のタイミングの差異を決定する方法であって、前記複数の基地局の各々が同期あるいは非同期で動作し、前記方法は、
前記複数の基地局間の時間差測定に対する要求を受信することであって、前記時間差測定は、チップレベル時間差を示す第１の部分と、フレームレベル時間差を示す第２の部分とを備えることと、
前記複数の基地局から送信されて受信したダウンリンク信号に基づいて、前記複数の基地局の各々に対する前記チップレベル時間差を推定することと、
前記複数の基地局の各々に対してフレームレベルタイミングが必要か否かを決定することと、
前記フレームレベルタイミングは必要としないという条件のもとに、前記推定されたチップレベル時間差と予め定められた値とに基づいて、同期して動作する基地局に対して時間差測定を決定することと、
非同期で動作する前記基地局に対する前記フレームレベル時間差を推定することと、
前記フレームレベルタイミングは必要であるという条件のもとに、前記推定されたチップレベル時間差と前記推定されたフレームレベル時間差とに基づいて、非同期で動作する基地局に対して時間差測定を決定することと、
を具備する方法。
【請求項２】
同期して動作する前記複数の基地局の各々を識別する指示を受信することをさらに具備する請求項１に記載の方法。
【請求項３】
同期して動作する前記複数の基地局の各々を識別する指示を受信することは、前記要求に含まれる請求項２に記載の方法。
【請求項４】
同期して動作する前記複数の基地局の各々を識別する指示を受信することは、Ｗ−ＣＤＭＡ広帯域符号分割多元接続規格によって定義されるリードＳＦＮシステムフレーム番号インジケータに基づく請求項２に記載の方法。
【請求項５】
同期して動作する前記複数の基地局の各々を識別する指示を受信することは、共通チャネルを介して行われる請求項２に記載の方法。
【請求項６】
同期して動作する前記複数の基地局の各々を識別する指示を受信することは、専用チャネルを介して行われる請求項２に記載の方法。
【請求項７】
同期して動作する前記基地局に対する時間差測定を決定することは、前記推定されたチップレベル時間差に基づく請求項１に記載の方法。
【請求項８】
前記チップレベル時間差を推定することは、前記ダウンリンク信号を逆スクランブルするのに用いられる疑似雑音（ＰＮ）系列の時間オフセットに基づく請求項１に記載の方法。
【請求項９】
前記フレームレベル時間差を推定することは、前記複数の基地局から共通チャネルを介して送信された復元された無線フレームに基づく請求項１に記載の方法。
【請求項１０】
Ｗ−ＣＤＭＡ規格によって定義されるＳＦＮ−ＳＦＮタイプ１測定報告メッセージ内に、前記複数の基地局に対する前記時間差測定をカプセル化することをさらに具備する請求項１に記載の方法。
【請求項１１】
同期してあるいは非同期で動作する前記基地局に対する前記決定された時間差測定を報告することをさらに具備する請求項１に記載の方法。
【請求項１２】
前記決定された時間差測定を報告することは、前記チップレベル時間差を、Ｗ−ＣＤＭＡ規格によって定義されたパラメータＴｍを介して報告することを含む請求項１１に記載の方法。
【請求項１３】
前記決定された時間差測定を報告することは、前記フレームレベル時間差を、Ｗ−ＣＤＭＡ規格によって定義されたパラメータＯＦＦ及びＣＯＵＮＴ−Ｃ−ＳＦＮを介して報告することを含む請求項１１に記載の方法。
【請求項１４】
前記決定された時間差測定に基づいて、前記複数の基地局の各々からのデータ送信に対するタイミングを一致させることをさらに具備する請求項１に記載の方法。
【請求項１５】
無線通信システムにおいて、複数の基地局間のタイミングの差異を決定する装置であって、前記複数の基地局の各々が同期あるいは非同期で動作し、
前記複数の基地局間の時間差測定に対する要求を受信する手段であって、前記時間差測定は、チップレベル時間差を示す第１の部分と、フレームレベル時間差を示す第２の部分とを備える手段と、
前記複数の基地局から送信されて受信したダウンリンク信号に基づいて、前記複数の基地局の各々に対する前記チップレベル時間差を推定する手段と、
前記複数の基地局の各々に対してフレームレベルタイミングが必要か否かを決定する手段と、
前記フレームレベルタイミングは必要としないという条件のもとに、前記推定されたチップレベル時間差と予め定められた値とに基づいて、同期して動作する基地局に対して時間差測定を決定する手段と、
非同期で動作する前記基地局に対する前記フレームレベル時間差を推定する手段と、
前記フレームレベルタイミングは必要であるという条件のもとに、前記推定されたチップレベル時間差と前記推定されたフレームレベル時間差とに基づいて、非同期で動作する基地局に対して時間差測定を決定する手段と、
を具備する装置。
【請求項１６】
同期して動作する前記複数の基地局の各々を識別する指示を受信する手段をさらに具備する請求項１５に記載の装置。
【請求項１７】
同期して動作する前記複数の基地局の各々を識別する指示を受信する手段は、前記要求に含まれる請求項１６に記載の装置。
【請求項１８】
同期して動作する前記複数の基地局の各々を識別する指示を受信する手段は、Ｗ−ＣＤＭＡ規格によって定義されるリードＳＦＮインジケータに基づく請求項１６に記載の装置。
【請求項１９】
同期して動作する前記複数の基地局の各々を識別する指示を受信する手段は、共通チャネルを介して受信を行う請求項１６に記載の装置。
【請求項２０】
同期して動作する前記複数の基地局の各々を識別する指示を受信する手段は、専用チャネルを介して受信を行う請求項１６に記載の装置。
【請求項２１】
同期して動作する前記基地局に対する時間差測定を決定する手段は、前記推定されたチップレベル時間差に基づく請求項１５に記載の装置。
【請求項２２】
前記チップレベル時間差を推定する手段は、前記ダウンリンク信号を逆スクランブルするのに用いられる疑似雑音（ＰＮ）系列の時間オフセットに基づく請求項１５に記載の装置。
【請求項２３】
前記フレームレベル時間差を推定する手段は、前記複数の基地局から共通チャネルを介して送信された復元された無線フレームに基づく請求項１５に記載の装置。
【請求項２４】
Ｗ−ＣＤＭＡ規格によって定義されるＳＦＮ−ＳＦＮタイプ１測定報告メッセージ内に、前記複数の基地局に対する前記時間差測定をカプセル化することをさらに具備する請求項１５に記載の装置。
【請求項２５】
同期してあるいは非同期で動作する前記基地局に対する前記決定された時間差測定を報告する手段をさらに具備する請求項１５に記載の装置。
【請求項２６】
前記決定された時間差測定を報告する手段は、前記チップレベル時間差を、Ｗ−ＣＤＭＡ規格によって定義されたパラメータＴｍを介して報告することを含む請求項１５に記載の装置。
【請求項２７】
前記決定された時間差測定を報告する手段は、前記フレームレベル時間差を、Ｗ−ＣＤＭＡ規格によって定義されたパラメータＯＦＦ及びＣＯＵＮＴ−Ｃ−ＳＦＮを介して報告することを含む請求項１５に記載の装置。
【請求項２８】
前記決定された時間差測定に基づいて、前記複数の基地局の各々からのデータ送信に対するタイミングを一致させる手段をさらに具備する請求項１５に記載の装置。
【請求項２９】
通信システムであって、各々が同期あるいは非同期で動作する複数の基地局と、
前記複数の基地局間の時間差測定に対する要求を受信し、前記時間差測定は、チップレベル時間差を示す第１の部分と、フレームレベル時間差を示す第２の部分とを備え、前記複数の基地局から送信されて受信したダウンリンク信号に基づいて、前記複数の基地局の各々に対する前記チップレベル時間差を推定し、前記複数の基地局の各々に対してフレームレベルタイミングが必要か否かを決定し、前記フレームレベルタイミングは必要としないという条件のもとに、前記推定されたチップレベル時間差と予め定められた値とに基づいて、同期して動作する基地局に対して時間相違測定を決定し、非同期で動作する前記基地局に対する前記フレームレベル時間差を推定し、前記フレームレベルタイミングは必要であるという条件のもとに、前記推定されたチップレベル時間差と前記推定されたフレームレベル時間差とに基づいて、非同期で動作する基地局に対して時間差測定を決定する少なくとも１つの端末と、
を具備する通信システム。
【請求項３０】
前記端末は、同期して動作する前記複数の基地局の各々を識別する指示を受信する請求項２９に記載のシステム。
【請求項３１】
前記端末は、同期して動作する前記複数の基地局の各々を識別する指示を前記要求に含まれるものとして受信する請求項３０に記載のシステム。
【請求項３２】
同期して動作する前記複数の基地局の各々を識別する指示を受信する前記端末は、Ｗ−ＣＤＭＡ規格によって定義されるリードＳＦＮインジケータに基づいて受信する請求項３０に記載のシステム。
【請求項３３】
同期して動作する前記複数の基地局の各々を識別する指示を受信する前記端末は、共通チャネルを介して受信する請求項３０に記載のシステム。
【請求項３４】
同期して動作する前記複数の基地局の各々を識別する指示を受信する前記端末は、専用チャネルを介して受信する請求項３０に記載のシステム。
【請求項３５】
同期して動作する前記基地局に対する時間差測定を決定する前記端末は、前記推定されたチップレベル時間差に基づいて決定する請求項２９に記載のシステム。
【請求項３６】
前記チップレベル時間差を推定する前記端末は、前記ダウンリンク信号を逆スクランブルするのに用いられる疑似雑音（ＰＮ）系列の時間オフセットに基づいて推定する請求項２９に記載のシステム。
【請求項３７】
前記フレームレベル時間差を推定する前記端末は、前記複数の基地局から共通チャネルを介して送信された復元された無線フレームに基づいて推定する請求項２９に記載のシステム。
【請求項３８】
前記端末は、Ｗ−ＣＤＭＡ規格によって定義されるＳＦＮ−ＳＦＮタイプ１測定報告メッセージ内に、前記複数の基地局に対する前記時間差測定をカプセル化する請求項２９に記載のシステム。
【請求項３９】
前記端末は、同期してあるいは非同期で動作する前記基地局に対する前記決定された時間差測定を報告する請求項２９に記載のシステム。
【請求項４０】
前記決定された時間差測定を報告する前記端末は、前記チップレベル時間差を、Ｗ−ＣＤＭＡ規格によって定義されたパラメータＴｍを介して報告する請求項２９に記載のシステム。
【請求項４１】
前記決定された時間差測定を報告する前記端末は、前記フレームレベル時間差を、Ｗ−ＣＤＭＡ規格によって定義されたパラメータＯＦＦ及びＣＯＵＮＴ−Ｃ−ＳＦＮを介して報告する請求項２９に記載のシステム。
【請求項４２】
前記端末は、前記決定された時間差測定に基づいて、前記複数の基地局の各々からのデータ送信に対するタイミングを一致させる請求項２９に記載のシステム。